(57)【特許請求の範囲】
【請求項１】
転写紙を収納する収納部と、
前記収納部に収納された転写紙をその最上位から給紙する給紙ローラと、
前記給紙ローラと対向配置された分離ローラと、
前記給紙ローラの転写紙の搬送方向下流側に配置された搬送ローラと、
前記搬送ローラへと転写紙を案内する転写紙ガイドと、
前記収納部に収納された転写紙の最上面に当接し、最上位の転写紙を送り出すピックアップローラと、を備え、
前記分離ローラは、前記搬送方向と直交する回転軸方向に所定の幅をもって、前記収納部の中央部に対向して配置され、
前記回転軸方向と交差する断面視において、前記給紙ローラと前記搬送ローラとに接する接線であって転写紙が搬送される側の第１接線と、前記ピックアップローラと前記給紙ローラとに接する接線であって転写紙が搬送される側の第２接線とが交差して配置され、かつ、前記搬送方向において前記第１接線が前記第２接線よりも先上がりに配置され、
前記転写紙ガイドが、前記回転軸方向において前記分離ローラよりも外側であって、前記断面視において前記収納部と前記分離ローラとの間の領域に形成され、前記第１接線の延長線より下方において前記延長線に近接するように、前記収納部から前記第１接線に沿って延在するように形成されたガイド面を有し、前記転写紙ガイドのガイド面の搬送方向上流側の端部が、前記第２接線よりも下方に位置するように形成され、
前記回転軸方向において前記分離ローラのローラ幅と略同幅に形成され、前記分離ローラの搬送方向上流側に配置され、前記断面視において前記転写紙ガイドの表面から突出するように形成され、前記分離ローラが前記収納部から給紙された転写紙を巻き込むことを防止するリブ状部材をさらに備え、
前記リブ状部材は、転写紙と接する先端面を有し、該先端面が前記分離ローラと給紙ローラとのニップ部分に向かって延設され、前記第１接線よりも緩やかな先上がりの傾斜面からなることを特徴とする給紙装置。
【請求項２】
給紙ユニット本体と、前記収納部を含み、前記給紙ユニット本体に着脱可能とされる給紙カセットと、を更に備え、
前記給紙ローラは、前記給紙ユニット本体に配置され、
前記分離ローラ、前記転写紙ガイドおよび前記リブ状部材は、前記給紙カセットに配置されていることを特徴とする請求項１に記載の給紙装置。
【請求項３】
請求項１または２に記載の給紙装置と、
前記給紙装置から給紙された転写紙に画像を形成する画像形成装置本体と、を備えていることを特徴とする画像形成装置。
【発明の詳細な説明】
【技術分野】
【０００１】
本発明は、プリンタ、複写機、ファクシミリ、それらの機能を複合的に備えた複合機などの画像形成装置に用いられる、用紙搬送ガイド機構を備えた給紙装置および該給紙装置を備えた画像形成装置に関する。
【背景技術】
【０００２】
従来から、プリンタ、複写機、ファクシミリ、それらの機能を複合的に備えた複合機などの画像形成装置に用いられる給紙装置として、給紙装置本体に着脱可能に設けられ、複数枚の転写紙を収納する給紙カセットを備えたものが広く用いられている。
【０００３】
上記の画像形成装置に用いられる給紙カセットとして、例えば、図１０に示す給紙カセット１１３が用いられている。給紙カセット１１３は、同図に示すように、引き出し状に形成されており、画像形成装置本体から引き出して、転写紙を補充・交換できるように構成されている。
【０００４】
給紙カセット１１３は、転写紙を収納する収納部１０１と、収納部１０１内に収納された転写紙を給紙方向（図中、上側）に傾斜させるリフタ板１０２と、リフタ板１０２の搬送方向下流側に設けられた分離ローラ１０３と、分離ローラ１０３の上端部が露出するようにその周囲に設けられ、搬送方向上向に傾斜された転写紙ガイド１０４と、転写紙ガイド１０４の下流側に配置された搬送ローラ１０５とを備えている。
【０００５】
また、図１１に示すように、リフタ板１０２の搬送方向下流端部の上方（転写紙が載置される側）には、ピックアップローラ１０６が設けられている。図１０に示す給紙カセット１１３側の分離ローラ１０３、搬送ローラ１０５は、給紙カセット１１３が装置本体（全体図省略）に装着された状態で、装置本体側の給紙ローラ１０７、搬送ローラ１０８とそれぞれ対向するように配置されている。
【０００６】
リフタ板１０２に載置された転写紙は、その最上部がピックアップローラ１０６に押圧された状態で、ピックアップローラ１０６が回転することにより最上層から１枚ずつ取り出され、給紙ローラ１０７と分離ローラ１０３との間を通過するように搬送される。ピックアップローラ１０６によって繰り出された転写紙は、給紙ローラ１０７が搬送方向へ回転する一方、分離ローラ１０３が搬送方向と逆の方向に回転することによって最上位の転写紙のみが一対の搬送ローラ１０５・１０８の間を通過し、装置本体側に設けられた画像形成部（図示せず）へと搬送される。この際、転写紙は、転写紙ガイド１０４によって案内される。
【０００７】
ここで、ピックアップローラ１０６によって繰り出された転写紙は、転写紙固有の腰によって、図１１に示すように、搬送方向下流側の先端が下方に垂れ下がってしまうことがある。このように、転写紙の先端が、転写紙ガイド１０４の上面１０４ａ（ガイド面）よりも下側に垂れ下がってしまうと、収納部１０１の縦壁面１０１ａに突き当たるため打撃音が発生してしまう。さらに、縦壁面１０１ａに突き当たった転写紙が転写紙ガイド１０４の上面１０４ａに載らず、縦壁面１０１ａとの間に入り込んだ場合、紙詰まりを生じ大きな衝撃音を発生する。
【０００８】
この問題に対し、特許文献１には、騒音源に応じて容易に調整可能な消音機構が開示されている。
【０００９】
また、特許文献２には、自動両面ユニット（ＡＤＵ）本体とＡＤＵカセットとの隙間を効果的に密閉することによって、騒音が外部に漏れることを抑制する技術が開示されている。
【００１０】
また、特許文献３には、摩擦係数の大きい材料からなる分離パッドの搬送方向下流側に、摩擦係数の小さい材料からなる消音部材を配置するとともに、給紙ローラの周面を分離パッドと消音部材とに跨がるように配置することによって、騒音の発生を低減する技術を開示している。
【特許文献１】特開2003-307890号公報（公開日：2003年10月31日）
【特許文献２】特開平11-188946号公報（公開日：1999年7月13日）
【特許文献３】特開平07-309465号公報（公開日：1994年5月19日）
【発明の開示】
【発明が解決しようとする課題】
【００１１】
しかしながら、上記の先行技術文献は、何れも騒音の発生を低減する技術を開示しているにすぎず、騒音、ジャムの発生の原因となる転写紙の搬送不良の問題を根本的に解消するものではない。この問題の解決は、紙厚の転写紙や硬い素材の転写紙を用いる場合に特に困難であった。
【００１２】
本発明の目的は、収納部から取り出された転写紙を安定して搬送路へと導くことにより、転写紙の搬送不良に起因した騒音の発生およびジャムの発生を低減することができる給紙装置およびそれを備えた画像形成装置の提供にある。
【課題を解決するための手段】
【００１３】
本発明の請求項１に係る給紙装置は、転写紙を収納する収納部と、前記収納部に収納された転写紙をその最上位から給紙する給紙ローラと、前記給紙ローラと対向配置された分離ローラと、前記給紙ローラの転写紙の搬送方向下流側に配置された搬送ローラと、前記搬送ローラへと転写紙を案内する転写紙ガイドと、前記収納部に収納された転写紙の最上面に当接し、最上位の転写紙を送り出すピックアップローラと、を備え、前記分離ローラは、前記搬送方向と直交する回転軸方向に所定の幅をもって、前記収納部の中央部に対向して配置され、前記回転軸方向と交差する断面視において、前記給紙ローラと前記搬送ローラとに接する接線であって転写紙が搬送される側の第１接線と、前記ピックアップローラと前記給紙ローラとに接する接線であって転写紙が搬送される側の第２接線とが交差して配置され、かつ、前記搬送方向において前記第１接線が前記第２接線よりも先上がりに配置され、前記転写紙ガイドが、前記回転軸方向において前記分離ローラよりも外側であって、前記断面視において前記収納部と前記分離ローラとの間の領域に形成され、前記第１接線の延長線より下方において前記延長線に近接するように、前記収納部から前記第１接線に沿って延在するように形成されたガイド面を有し、前記転写紙ガイドのガイド面の搬送方向上流側の端部が、前記第２接線よりも下方に位置するように形成され、前記回転軸方向において前記分離ローラのローラ幅と略同幅に形成され、前記分離ローラの搬送方向上流側に配置され、前記断面視において前記転写紙ガイドの表面から突出するように形成され、前記分離ローラが前記収納部から給紙された転写紙を巻き込むことを防止するリブ状部材をさらに備え、前記リブ状部材は、転写紙と接する先端面を有し、該先端面が前記分離ローラと給紙ローラとのニップ部分に向かって延設され、前記第１接線よりも緩やかな先上がりの傾斜面からなることを特徴とする。
【００１４】
上記の構成によれば、収納部から送り出された転写紙を搬送ローラへと案内する転写紙ガイドが、収納部と分離ローラとの間の領域に形成されており、前記給紙ローラと前記搬送ローラとの転写紙が搬送される側の接線の延長線上または当該延長線に近接するように、前記収納部から転写紙の搬送方向に沿って延在するように形成されたガイド面を有している。このため、前記収納部から給紙された転写紙が、転写紙固有の腰によって先端が下方に垂れ下がってしまっても、該収納部から搬送方向に延在するよう形成されたガイド面によって受け止められる。さらに、このガイド面は、前記給紙ローラと前記搬送ローラとの接線の延長線上、すなわち、転写紙の搬送方向に沿って延在するように形成されている。このため、転写紙ガイドのガイド面によって、転写紙を搬送ローラへと安定して導くことができる。これにより、転写紙を安定して搬送路へと搬送することができ、転写紙の搬送不良に起因した騒音の発生並びに転写紙ジャムの発生を低減することができる。
【００１５】
また、この構成によれば、前記収納部から給紙される際に下方に垂れ下がった転写紙の先端をより確実に受け止めることができる。
【００１６】
また、この構成によれば、前記収納部から給紙ローラ側に送り出される転写紙は、前記ピックアップローラと前記給紙ローラとの前記接線よりも、搬送方向上流側の端部が下方に位置する転写紙ガイドによって、確実に受け止められる。これにより、収納部から送り出される転写紙を安定して搬送路へと導くことができる。
【００１７】
また、この構成によれば、前記搬送紙ガイド部材によって転写紙が給紙ローラと分離ローラとの間に導かれる前に、該転写紙が転写紙の搬送方向と逆の方向に回転する分離ローラに巻き込まれることを防止することができる。これにより、転写紙をより安定して搬送路へと導くことができる。
【００１８】
また、この構成によれば、前記から給紙された転写紙の先端が、前記リブ状部材に突き当たる際の衝撃を小さくしつつ、転写紙の分離ローラへの巻き込みを効率的に防止することができる。
【００１９】
また、この構成によれば、収納部から給紙された転写紙を、リブ状部材の先端面によって、その延長線上にある給紙ローラと分離ローラとの間に確実に導くことができる。これにより、転写紙をより安定して搬送路へと導くことができる。
【００２０】
上記の構成において、給紙ユニット本体と、前記収納部を含み、前記給紙ユニット本体に着脱可能とされる給紙カセットと、を更に備え、前記給紙ローラは、前記給紙ユニット本体に配置され、前記分離ローラ、前記転写紙ガイドおよび前記リブ状部材は、前記給紙カセットに配置されていることが望ましい（請求項２）。
【００２１】
本発明の請求項３に係る画像形成装置は、請求項１または２に記載の給紙装置と、前記給紙装置から給紙された転写紙に画像を形成する画像形成装置本体と、を備えていることを特徴としている。
【００２２】
上記の構成によれば、前記収納部から取り出された転写紙をより安定して画像形成装置本体へと搬送することができる。これにより、転写紙の搬送不良に起因した騒音の発生およびジャムの発生を低減できる画像形成装置を実現することができる。
【発明の効果】
【００２３】
本発明によれば、転写紙を安定して搬送路へと搬送することができ、転写紙の搬送不良に起因した騒音の発生並びに転写紙ジャムの発生を低減することができる給紙装置及びこれを備えた画像形成装置を提供することができる。
【発明を実施するための最良の形態】
【００２４】
以下、図面に基づいて本発明の実施形態につき詳細に説明する。
【００２５】
図１は、本発明の一実施形態に係る給紙装置を備えたプリンタの斜視図であり、図２は、図１に示すプリンタの内部構成を示す断面図である。
【００２６】
本発明の一実施形態にかかる画像形成装置としてのプリンタ１は、図１に示すように、プリンタ本体（画像形成装置本体）２０と、プリンタ本体２０の下方に設けた給紙部３０とを備えている。プリンタ本体２０の上面には、傾斜した凹状の排紙部８が設けられている。
【００２７】
以下に、図２を参照し、プリンタ１の内部構造を説明する。
【００２８】
プリンタ本体２０は、パーソナルコンピュータ等（図示せず）に接続されており、該パーソナルコンピュータ等から受信した画像データに基づいてトナー像を形成する作像部（画像形成部）３、給紙部３０から送り出された転写紙を作像部３に搬送する搬送ライン５、作像部３で形成されたトナー像を転写紙上に転写する転写部６、トナー像を転写紙に定着させる定着部７が設けられている。
【００２９】
本実施形態のプリンタ１は、カラープリンタであって、作像部３には、周回する搬送ベルト９の周回方向に沿って上流側（図２中右側）から下流側へ向けてマゼンタ用ユニット３Ｍ、シアン用ユニット３Ｃ、イエロー用ユニット３Ｙ、ブラック用ユニット３Ｋが順次配設されている。
【００３０】
給紙部３０は、上下２段で構成された上側給紙部３０−１、下側給紙部３０−２を備え、各段から択一的に転写紙を供給できるように構成されている。上側給紙部３０−１の転写紙、下側給紙部３０−２の転写紙は何れも搬送ライン５を介して作像部３に送られるように構成されている。
【００３１】
作像部３に送られた転写紙は、搬送ベルト９上を搬送されながら、マゼンタ用ユニット３Ｍ、シアン用ユニット３Ｃ、イエロー用ユニット３Ｙ、ブラック用ユニット３Ｋから順次各色のトナー像が転写される。その結果、転写紙上にはカラートナー像が形成される。その後、転写紙は定着部７に送られ、定着部７において加圧加熱されることで前記カラートナー像が定着され、続いて排紙部８へ排出される。
【００３２】
各給紙部３０には、本実施形態にかかる図４ないし図７に示す給紙ユニット１３が設けられている。給紙ユニット１３は、図４および図５に示すように、給紙ユニット本体１３ｂと、給紙ユニット本体１３ｂに装着される給紙カセット１３ａを含んでいる。給紙カセット１３ａは、図中矢印で示す着脱方向に出し入れすることで、給紙ユニット本体１３ｂに対し着脱可能に設けられている。
【００３３】
各給紙部３０は、さらに、給紙カセット１３ａに収納された転写紙を搬送する給紙ローラ対（分離ローラ１６・給紙ローラ２２）と、その下流側に設けられた搬送ローラ対（搬送ローラ１８・搬送ローラ２３）と、これら２対のローラを駆動するための駆動ユニット１０とが設けられている。駆動ユニット１０は、給紙ユニット本体１３ｂ側の所定位置に固定されている。
【００３４】
上記給紙ローラ対のうち、給紙ローラ２２は給紙ユニット本体１３ｂに設けられる一方、分離ローラ１６は給紙カセット１３ａに設けられ、給紙カセット１３ａが給紙ユニット本体１３ｂに装着された状態で、給紙カセット１３ａ側の分離ローラ１６が給紙ユニット本体１３ｂ側の給紙ローラ２２と当接するように構成されている。
【００３５】
同様に、上記搬送ローラ対のうち、搬送ローラ２３は給紙ユニット本体１３ｂに設けられている一方、搬送ローラ１８は給紙カセット１３ａに設けられており、給紙カセット１３ａが給紙ユニット本体１３ｂに装着された状態で、給紙カセット１３ａ側の搬送ローラ１８が給紙ユニット本体１３ｂ側の搬送ローラ２３と当接するように構成されている。
【００３６】
さらに、給紙カセット１３ａを給紙ユニット本体１３ｂに装着すると、リフト板１５が軸１２を中心にその搬送方向下流端が搬送方向に傾動し、最上位の転写紙の搬送方向下流端にピックアップローラ２１が当接する。これにより、給紙ユニット（給紙装置）１３は給紙可能状態となる。
【００３７】
次に、図３ないし図９を参照し、本実施形態にかかる給紙ユニット１３の構造について説明する。
【００３８】
図３は、本発明の一実施形態に係る給紙装置を構成する給紙カセットを示す斜視図、図４は、本発明の一実施形態に係る給紙装置の外観を示す斜視図、図５は、図４に示す給紙装置における給紙カセットが給紙装置本体から引き出した状態を示す説明図、図６は、図３に示す給紙カセットのＸ−Ｘ方向から見た断面図、図７は、図３に示す給紙カセットのＹ−Ｙ方向から見た断面図、図８は、図６に示す給紙装置の要部断面図、図９は、図７に示す給紙装置の要部断面図である。
【００３９】
給紙ユニット１３は、図４および図５に示すように、給紙ユニット本体１３ｂと、給紙ユニット本体１３ｂに対し着脱可能に設けられた給紙カセット１３ａとから構成されている。給紙カセット１３ａは、図３に示すように、上方が開放された引き出し状に形成されており、図５に示すように、給紙ユニット本体１３ｂから引き出して転写紙の補充・交換ができるように形成されている。
【００４０】
給紙カセット１３ａは、図３に示すように、転写紙を収納する収納部１４、収納部１４内に収納された転写紙を搬送方向（図中、上向き）に傾斜させるリフタ板１５、リフタ板１５の搬送方向下流側であって、給紙カセット１３ａが給紙ユニット本体１３ｂに装着された状態で給紙ローラ２２と対向する位置に設けられた分離ローラ１６、分離ローラ１６の下流側に並列配置された複数の搬送ローラ１８、転写紙を搬送ローラ１８へと案内する転写紙ガイド１７を備えている。
【００４１】
転写紙ガイド１７は、図２、図７および図９に示すように、収納部１４の搬送方向上流側の縦壁面１４ａの上端縁と分離ローラ１６との間の領域に形成され、給紙ローラ２２と分離ローラ１６との間に転写紙を案内する傾斜ガイド１７ａ（ガイド面）を有している。傾斜ガイド１７ａは、縦壁面１４ａの上端縁と一体に形成されており、給紙ローラ２２と搬送ローラ２３との転写紙が搬送される側の接線Ｐ１（第１接線）の延長線上または当該延長線Ｐ１に近接するように、収納部１４から搬送される転写紙の搬送方向に沿って延在するように形成されている。
【００４２】
本実施形態にかかる転写紙ガイド１７は、図９に示すように、傾斜ガイド１７ａの搬送方向上流側の端部１７ｂが、ピックアップローラ２１と給紙ローラ２２との接線であって、転写紙が搬送される側の接線Ｐ２（第２接線）よりも下方に位置するように形成されている。したがって、収納部１４から送り出される転写紙は、給紙ローラ２２側に送り出される際に縦壁面１４ａに沿って下方に垂れ下がってしまっても、傾斜ガイド１７ａによって受け止められる。さらに、この傾斜ガイド１７ａは、給紙ローラ２２と搬送ローラ２３との接線Ｐ１の延長線上、すなわち、転写紙の搬送方向に沿って延在するように形成されている。このため、この転写紙ガイド１７の傾斜ガイド（ガイド面）１７ａによって、転写紙を搬送ローラ２３と搬送ローラ１８との間へと安定して導くことができる。
【００４３】
傾斜ガイド１７ａは、給紙ローラ２２と搬送ローラ２３との接線Ｐ１の延長線上に形成されていることが望ましいが、該延長線上に隣接するように形成されていてもよい。この場合、傾斜ガイド部１７ａが、接線Ｐ１の延長線よりも下側に隣接して形成することが、より確実に転写紙を受け止めることができるため望ましい。また、傾斜ガイド部１７ａは、接線Ｐ１と平行に隣接して形成することが望ましいが、接線Ｐ１の延長線よりも、搬送方向上流側がやや下向きになるように形成してもよい。
【００４４】
本実施形態にかかる給紙カセット１３ａは、分離ローラ１６の搬送方向上流側に設けられ、分離ローラ１６がピックアップローラ２１で繰り出された最上位の転写紙を巻き込むことを防止するリブ状ガイド（リブ状部材）１９をさらに備えている。図９に示すように、リブ状ガイド１９は傾斜ガイド部１７ａの表面中途部から突出するように形成されている。図８および図９に示すように、リブ状ガイド１９は、分離ローラ１６の収納部としての機能も有している。
【００４５】
リブ状ガイド１９は、上記の巻き込み防止機能が実現できればその形成幅については特に限定されないが、分離ローラ１６のローラ幅（搬送方向と直交する回転軸方向の幅）と略等しい幅に形成されていることが望ましい。すなわち、リブ状ガイド１９の形成幅を広く形成しても、分離ローラ１６による転写紙の巻き込みは防止できるが、給紙カセット１３ａから繰り出された転写紙の衝突による衝撃音を生じやすい。そこで、本実施形態のように、リブ状ガイド１９を分離ローラ１６のローラ幅と略等しい幅に形成している。これにより、繰り出された転写紙の先端が突き当たる際の衝撃を小さくしつつ、転写紙の分離ローラ１６への巻き込みを効率的に防止することができる。
【００４６】
次に、本実施形態にかかる給紙ユニット１３の搬送機構について、図９を参照し説明する。
【００４７】
本実施形態にかかる給紙ユニット１３の搬送機構は、転写紙ガイド１７、分離ローラ１６、給紙ローラ２２、搬送ローラ２３、搬送ローラ１８で構成されている。
【００４８】
リフタ板１５に載置された転写紙は、その最上部がピックアップローラ２１に押圧された状態でピックアップローラ２１が回転することにより、その最上位から１枚ずつ取り出され、給紙ローラ２２と分離ローラ１６との間へと搬送される。この際、ピックアップローラ２１によって繰り出された転写紙は、給紙ローラ２２が用紙の搬送方向へ回転する一方、分離ローラ１６は用紙を搬送方向とは逆の方向に回転する。これにより、最上位の転写紙のみが、下流側に設けられた一対の搬送ローラ２３と搬送ローラ１８との間を通過し、プリンタ本体２０側の作像部（画像形成部）３へと搬送される。
【００４９】
このように、給紙ローラ２２と分離ローラ１６とは、転写紙を１枚ずつ搬送路に送り出す重送防止機構を構成し、リフタ板１５に積載収納された転写紙の最上位よりも下方に位置する転写紙が最上位に位置する転写紙と一緒に搬送されるのを防止できるように構成している。
【００５０】
ここで、本実施形態にかかるリブ状ガイド１９は、以下に説明するように、前述の巻き込み防止機能に加え、ピックアップローラ２１によって収納部１４から繰り出された転写紙を安定して搬送路に導くための案内部材としても機能するように構成されている。
【００５１】
すなわち、図９に示すように、リブ状ガイド１９は、転写紙と接する先端面１９ａを有し、符号Ｓで示すように、この先端面１９ａが前記分離ローラ１６と給紙ローラ２２とのニップ部分に向かって傾斜するように形成されている。これにより、収納部１４から繰り出された転写紙を、リブ状ガイド１９の先端面１９ａによって、その延長線上にある給紙ローラ２２と分離ローラ１６との間へ確実に導くことができる。
【００５２】
ところで、上記実施形態では、本発明の給紙装置をプリンタ１に適用して説明したが、それに限定されない。本発明の給紙装置は、プリンタ、複写機、ファクシミリ、或いはそれらの機能を複合的に備えた複合機などのように、画像形成装置全般に適用することができる。
【図面の簡単な説明】
【００５３】
【図１】本発明の一実施形態に係る給紙装置を備えたプリンタの斜視図である。
【図２】図１に示すプリンタの内部構成を示す断面図である。
【図３】本発明の一実施形態に係る給紙装置を構成する給紙カセットを示す斜視図である。
【図４】本発明の一実施形態に係る給紙装置の外観を示す斜視図である。
【図５】図４に示す給紙装置における給紙カセットが給紙装置本体から引き出した状態を示す説明図である。
【図６】図３に示す給紙カセットのＸ−Ｘ方向から見た断面図である。
【図７】図３に示す給紙カセットのＹ−Ｙ方向から見た断面図である。
【図８】図６に示す給紙装置の要部断面図である。
【図９】図７に示す給紙装置の要部断面図である。
【図１０】従来の給紙装置を構成する給紙カセットを示す斜視図である。
【図１１】図１０に示す従来の給紙装置の要部断面図である。
【符号の説明】
【００５４】
１    プリンタ（画像形成装置）
１３    給紙ユニット（給紙装置）
１４    収納部
１４ａ  縦壁面
１５    リフタ板
１６    分離ローラ
１７    転写紙ガイド
１７ａ  傾斜ガイド（ガイド面）
１７ｂ  端部
１８    搬送ローラ
１９    リブ状ガイド
１９ａ  先端面
２０    プリンタ本体（画像形成装置本体）
２１    ピックアップローラ
２２    給紙ローラ
２３    搬送ローラ
３０    給紙部
Ｐ１    接線
Ｐ２    接線
【図１】
0005331398.tif 000002
【図２】
0005331398.tif 000003
【図３】
0005331398.tif 000004
【図４】
0005331398.tif 000005
【図５】
0005331398.tif 000006
【図６】
0005331398.tif 000007
【図８】
0005331398.tif 000008
【図９】
0005331398.tif 000009
【図１０】
0005331398.tif 000010
【図１１】
0005331398.tif 000011
【図７】
0005331398.tif 000012